(57)【要約】【課題】簡単な操作で、オリジナリティのある楽しく賑やかなアルバムを作ること。【解決手段】人物が写っている画像データを含み、かつそれぞれ別日時に取得された複数の画像データを記録する画像記録部と、前記各画像データから選択された前記画像データを表示部に表示すると共に、前記選択された前記画像データの日時とは別日時で、かつ前記人物と同一人物が写っている前記画像データを前記画像記録部から検索して前記表示部に表示する制御部とを備えた表示装置である。【選択図】図１
2010259064.tif 000002
【特許請求の範囲】
【請求項１】
人物が写っている画像データを含み、かつそれぞれ別日時に取得された複数の画像データを記録する画像記録部と、
表示部と、
前記各画像データから選択された前記画像データを前記表示部に表示すると共に、前記選択された前記画像データの日時とは別日時で、かつ前記人物と同一人物が写っている前記画像データを前記画像記録部から検索して前記表示部に表示する制御部と、
を具備することを特徴とする表示装置。
【請求項２】
前記制御部は、前記日時と前記人物の顔部分とに関する各優先度に基づいて前記画像データを検索することを特徴とする請求項１記載の表示装置。
【請求項３】
前記制御部は、前記画像データを取得したイベントと前記人物の顔部分とに関する各優先度に基づいて前記画像データを検索することを特徴とする請求項２記載の表示装置。
【請求項４】
前記制御部は、前記顔部分の位置と大きさとに従って前記人物の顔部分の優先度を決定することを特徴とする請求項３記載の表示装置。
【請求項５】
前記制御部は、前記日時の古い前記画像データ又は当該古い画像データと前記表示部に表示中の前記画像データとの各日時に基づいて前記イベントに関する前記優先度を高くすることを特徴とする請求項４記載の表示装置。
【請求項６】
前記表示部は、表示画面を有し、
前記制御部は、前記表示画面内の所定エリア内に前記選択された前記画像データを表示し、かつ前記エリア外に前記別日時の前記複数の画像データを表示する、
ことを特徴とする請求項１記載の表示装置。
【請求項７】
前記制御部は、前記別日時の前記複数の画像データを所定の画像数ずつ遷移して表示することを特徴とする請求項６記載の表示装置。
【請求項８】
前記制御部は、前記別日時の前記複数の画像データに対して選択が行われると、当該選択された前記画像データを前記エリア内に表示することを特徴とする請求項６記載の表示装置。。
【請求項９】
前記制御部は、前記別日時の前記複数の画像データに関する情報を文字により表示することを特徴とする請求項６記載の表示装置。
【請求項１０】
前記制御部は、前記各画像データに含まれる前記人物の特徴を検出する特徴検出部と、
前記各画像データの撮影の日時を検出する時間検出部と、
前記画像記録部に記録されている前記各画像データと前記特徴検出部により検出された前記人物の特徴と前記時間検出部により検出された前記日時とを対応付ける画像管理部と、
前記画像記録部に記録されている前記各画像データに対して前記日時と前記人物の顔部分とに関する前記各優先度を付ける優先度判定部と、
を含むことを特徴とする請求項１記載の表示装置。
【請求項１１】
被写体を撮像する撮像部と、
前記撮像部の撮像により取得され、前記被写体として人物が写っている画像データを含み、かつそれぞれ別日時に取得された複数の画像データを記録する画像記録部と、
表示部と、
前記各画像データから選択された前記画像データを前記表示部に表示すると共に、前記選択された前記画像データの日時とは別日時で、かつ前記人物と同一人物が写っている前記画像データを前記画像記録部から検索して前記表示部に表示する制御部と、
を具備することを特徴とする撮像装置。
【請求項１２】
前記制御部は、前記日時と前記人物の顔部分とに関する各優先度に基づいて前記画像データを検索することを特徴とする請求項１１記載の撮像装置。
【請求項１３】
前記制御部は、前記画像データを取得したイベントと前記人物の顔部分とに関する各優先度に基づいて前記画像データを検索することを特徴とする請求項１２記載の撮像装置。
【請求項１４】
前記制御部は、前記顔部分の位置と大きさとに従って前記人物の顔部分の優先度を決定することを特徴とする請求項１３記載の撮像装置。
【請求項１５】
前記制御部は、前記日時の古い前記画像データ又は当該古い画像データと前記表示部に表示中の前記画像データとの各日時に基づいて前記イベントに関する前記優先度を高くすることを特徴とする請求項１４記載の撮像装置。
【請求項１６】
前記表示部は、表示画面を有し、
前記制御部は、前記表示画面内の所定エリア内に前記選択された前記画像データを表示し、かつ前記エリア外に前記別日時の前記複数の画像データを表示する、
ことを特徴とする請求項１１記載の撮像装置。
【請求項１７】
前記制御部は、前記別日時の前記複数の画像データを所定の画像数ずつ遷移して表示することを特徴とする請求項１６記載の撮像装置。
【請求項１８】
前記制御部は、前記別日時の前記複数の画像データに対して選択が行われると、当該選択された前記画像データを前記エリア内に表示することを特徴とする請求項１６記載の撮像装置。
【請求項１９】
前記制御部は、前記別日時の前記複数の画像データに関する情報を文字により表示することを特徴とする請求項１６記載の撮像装置。
【請求項２０】
前記制御部は、前記各画像データに含まれる前記人物の特徴を検出する特徴検出部と、
前記各画像データの撮影の日時を検出する時間検出部と、
前記画像記録部に記録されている前記各画像データと前記特徴検出部により検出された前記人物の特徴と前記時間検出部により検出された前記日時とを対応付ける画像管理部と、
前記画像記録部に記録されている前記各画像データに対して前記日時と前記人物の顔部分とに関する前記各優先度を付ける優先度判定部と、
を含むことを特徴とする請求項１１記載の撮像装置。
【発明の詳細な説明】
【技術分野】
【０００１】
本発明は、例えばデジタルカメラ又はカメラ付の携帯電話等の表示部を有する表示装置及び撮像装置に関する。
【背景技術】
【０００２】
近年、メモリの大容量化や低価格化が進んでいる。カメラは、メモリを内蔵し、当該メモリに大量の画像を保存することを可能としている。カメラ背面には、液晶ディスプレイ等の表示パネルが設けられている。この表示パネルは、表示画面の大型化が進んでいる。この表示パネルは、カメラ内のメモリに保存されている画像を表示することにより、画像を鑑賞する用途に一般的に用いられる。
【０００３】
写真を装飾し、この写真を載せた楽しいアルバムを作りたいという要望がある。かかる要望を実現するために、装飾の付いた画像をカメラの表示パネルに表示する技術の登場が待たれている。
【０００４】
カメラにより撮影した画像を用いてアルバムを作成する技術の追求が行われている。例えば特許文献１は、撮影時にテンプレートを表示してアルバム効果を確認しながら撮影するカメラを開示する。特許文献２は、共通性のある複数の画像に対してタイトルを選定し、再生時に同一のタイトルを持つ複数の画像を、そのタイトルによって特定される台紙に貼り付けるという技術を開示する。
【先行技術文献】
【特許文献】
【０００５】
【特許文献１】特開２００７−１０４３３６号公報
【特許文献２】特開平９−２１４６５４号公報
【発明の概要】
【発明が解決しようとする課題】
【０００６】
しかしながら、上記特許文献１に記載のカメラでは、撮影時に、テンプレート撮影モードの設定が必要であり、操作方法に改善の余地を有している。
【０００７】
また、上記特許文献２に記載の技術では、台紙が画一的になりがちであるという課題を有している。
【０００８】
したがって本発明は、上記実情に鑑みてなされたものであり、その目的は、簡単な操作で、オリジナリティのある楽しく賑やかなアルバムを作ることのできるカメラ及び表示装置並びに電子機器を提供することである。
【０００９】
また、本発明の他の目的は、興味ある画像に類似の画像のみを見ていくことができると共に、装飾表示された画像を利用して画像検索のできる表示装置及び撮像装置を提供することである。
【課題を解決するための手段】
【００１０】
本発明の主要な局面に係る表示装置は、人物が写っている画像データを含み、かつそれぞれ別日時に取得された複数の画像データを記録する画像記録部と、表示部と、前記各画像データから選択された前記画像データを前記表示部に表示すると共に、前記選択された前記画像データの日時とは別日時で、かつ前記人物と同一人物が写っている前記画像データを前記画像記録部から検索して前記表示部に表示する制御部とを具備する。
【００１１】
本発明の主要な局面に係る撮像装置は、被写体を撮像する撮像部と、前記撮像部の撮像により取得され、前記被写体として人物が写っている画像データを含み、かつそれぞれ別日時に取得された複数の画像データを記録する画像記録部と、表示部と、前記各画像データから選択された前記画像データを前記表示部に表示すると共に、前記選択された前記画像データの日時とは別日時で、かつ前記人物と同一人物が写っている前記画像データを前記画像記録部から検索して前記表示部に表示する制御部とを具備する。
【発明の効果】
【００１２】
本発明によれば、簡単な操作で、オリジナリティのある楽しく賑やかなアルバムを作ることのできる表示装置及び撮像装置を提供することができる。
【００１３】
また、本発明によれば、興味ある画像に類似の画像のみを見ていくことができると共に、装飾表示された画像を利用して画像検索のできる表示装置及び撮像装置を提供することができる。
【図面の簡単な説明】
【００１４】
【図１】本発明の一実施の形態に係るカメラの概略構成を示すブロック図。
【図２Ａ】同カメラの再生モードによる表示を説明するための図。
【図２Ｂ】同カメラの再生モードによる表示を説明するための図。
【図２Ｃ】同カメラの再生モードによる表示を説明するための図。
【図２Ｄ】同カメラの再生モードによる表示を説明するための図。
【図２Ｅ】同カメラの再生モードによる表示を説明するための図。
【図２Ｆ】同カメラの再生モードによる表示を説明するための図。
【図３】同カメラの再生モードによる風景写真の画像の表示例及び人物の写真の表示例を示す図。
【図４Ａ】同カメラに表示される各アルバムの一例を示す図。
【図４Ｂ】同カメラに表示される選択された各アルバムの画像の遷移を示す図。
【図４Ｃ】同カメラに表示される各アルバムの各ページの表示を示す図。
【図４Ｄ】同カメラに表示されるアルバムが開くような画像の遷移を示す図。
【図４Ｅ】同カメラにより検索された画像の拡大表示を示す図。
【図５】同カメラの制御動作のフローチャート。
【図６】同カメラの制御動作のフローチャートにおける画像分類の動作を示すフローチャート。
【図７Ａ】同カメラによる画像分類の結果を示す図。
【図７Ｂ】同カメラにおける表示画面上の顔の位置を特定するためのエリア及び同エリアに対する顔の大きさの一例を示す図。
【図８】同カメラの制御動作のフローチャートにおけるアルバム再生の動作を示すフローチャート。
【図９】同カメラによるイベント判定による日時に対する画像数の関係を示す図。。
【図１０】同カメラのイベント判定の動作を示すフローチャート。
【図１１】同カメラの制御動作のフローチャートにおける別イベントの同じ顔の第１の検索の動作を示すフローチャート。
【図１２】同カメラの制御動作のフローチャートにおける別イベントの同じ顔の第２の検索の動作を示すフローチャート。
【図１３】同カメラにより人物を撮影した日時と画像数との分布を示す図。
【発明を実施するための形態】
【００１５】
以下、本発明の一実施の形態について図面を参照説明する。
【００１６】
図１はカメラの概略を示すブロック構成図である。カメラ１０は、制御部１１と、撮像部１２と、顔検出部１３と、記録部１４と、操作判定部１６と、衛星航法システム（Ｇlobal Ｐositioning Ｓystem：ＧＰＳ）部１７と、時計部１８と、表示部２０と、タッチパネル２１と、通信部２２とを含む。
【００１７】
制御部１１は、カメラ１０の全体の制御を行う。制御部１１は、撮像部１２により取得された画像データのエッジ強調、色補正、圧縮等の画像処理、画像データの選択を行う。制御部１１は、画像データと当該画像データに写っている人物、日時とを対応付けて管理する。制御部１１は、表示制御部１１ａと、特徴抽出部１１ｂと、顔位置・大きさ判定部１１ｃと、画像検索部１１ｄと、画像分類部１１ｅとを含む。記録部１４には、関連情報記録エリア１４ａが形成されている。
【００１８】
表示制御部１１ａは、液晶ディスプレイ等から成る表示部２０の表示を制御する。
【００１９】
特徴抽出部１１ｂは、画像データから被写体の顔の特徴や色を抽出する。顔位置・大きさ判定部１１ｃは、画像データから顔画像の位置や大きさを判定する。画像分類部１１ｅは、画像データから主要被写体の種類別に画像を分類する。画像検索部１１ｄは、画像分類部１１ｅによる画像分類の結果に基づいて各画像データの検索を行う。
【００２０】
撮像部１２は、撮影レンズ及び撮像素子等を含む。撮像部１２は、被写体からの撮影光束を取り込んで画像を取り込む。制御部１１は、撮像部１２により取り込まれた画像に対してエッジ強調、色補正、画像圧縮等の画像処理を行い、画像処理した画像データを記録部１４に記録する。
【００２１】
顔検出部１３は、撮像部に取り込まれた画像データ中の顔画像を周知の顔画像の認識処理等により検出する。記録部１４は、制御部１１により画像処理された画像データや日時データ等を記憶する。
【００２２】
操作判定部１６は、各種スイッチと判定部とを含む。各種スイッチは、カメラ１０の各種モードのスイッチ、電源スイッチ、レリーズスイッチ等である。ユーザが何れかのスイッチを操作すると、制御部１１は、操作されたスイッチを検出する。操作判定部１６は、壁紙等の画像データを選択する。
【００２３】
ＧＰＳ部１７は、撮影時の場所（撮影場所）の情報を出力する。時計部１８は、撮影時の日時データを出力する。撮影時の日時データ、撮影場所の情報、画像データは、記録部１４に一緒に記録される。日時データ、撮影場所の情報は、画像データの整理、画像データの検索に利用される。
【００２４】
ＧＰＳは、高価であり、全てのカメラへの搭載が困難である。ＧＰＳは、複数の衛星からの微弱電波を利用しなければならず、屋内や地下街での利用が困難である。本実施形態では、極力、ＧＰＳに頼らない方法で説明するものとする。複数の画像データを各機会（イベント）別に分類等する場合では、ＧＰＳを搭載している方が便利である。例えば、旅行先で撮影した複数の画像データを分類する場合、同じ場所で撮ったか否かの判定にＧＰＳを利用することができる。
【００２５】
表示部２０は、表示制御部１１ａによって表示制御される。表示部２０は、例えば被写体の画像データ、日時データに対応する文字情報や、壁紙を表示する。
【００２６】
表示制御部１１ａは、優先度判定部１１０を有する。優先度判定部１１０は、画像分類部１１ｅによる画像データの分類結果に従って表示部２０に表示する画像データの優先度を判定する。優先度判定部１１０は、例えば図７に示すような画像分類部１１ｅによる画像分類の結果に従って図１１に示す第１の検索の動作を示すフローチャートと図１２に示す第２の検索の動作を示すフローチャートとを実行し、表示部２０に表示する画像データの優先度を判定する。
【００２７】
表示制御部１１ａは、記録部１４に記録されている各画像データから選択された画像データを表示部２０に表示し、かつ優先度判定部１１０により各画像データに付された優先度に基づいて選択された画像データの日時とは別日時で、かつ人物と同一人物が写っている画像データを記録部２０から検索して表示部２０に表示する。
【００２８】
表示制御部１１ａは、日時と人物の顔部分とに関する各優先度に基づいて画像データを検索する。
【００２９】
表示制御部１１ａは、表示部２０の表示画面２０ａ内の所定エリア内に選択された画像データを表示し、かつエリア外に別日時の複数の画像データを表示する。
【００３０】
表示制御部１１ａは、別日時の複数の画像データを所定の画像数ずつ遷移して表示する。
【００３１】
表示制御部１１ａは、別日時の複数の画像データに対して選択が行われると、当該選択された画像データをエリア内に表示する。
【００３２】
表示制御部１１ａは、別日時の複数の画像データに関する情報を文字により表示する。
【００３３】
優先度判定部１１０は、画像データを取得したイベントと人物の顔部分とに関する各優先度に基づいて画像データを検索する。
【００３４】
優先度判定部１１０は、顔部分の位置と大きさとに従って人物の顔部分の優先度を決定する。
【００３５】
優先度判定部１１０は、日時の古い画像データ又は当該古い画像データと表示部２０に表示中の画像データとの各日時に基づいてイベントに関する優先度を高くする。
【００３６】
優先度判定部１１０は、記録部１４に記録されている各画像データのうち最も古い日時の画像データの優先度を高くし、かつ人物と同一人物の顔が写っている画像データの優先度を高くして画像データを検索する。
【００３７】
優先度判定部１１０は、選択された画像データの日時と最も古い画像データの日時との時間的に中間の日時に対応する画像データを検索し、当該検索された画像データの優先度と、人物と同一人物の顔が写っている画像データの優先度とを高くして画像データを検索する。
【００３８】
優先度判定部１１０は、日時に関する優先度を人物の顔部分に関する優先度よりも高く設定する。
【００３９】
タッチパネル２１は、表示部２０の表示画面上に配置され、複数のタッチスイッチを含む。タッチパネル２１は、ユーザによりタッチされると、タッチにより選択された部位のスイッチが作動し、タッチ部位の位置に応じた信号を出力する。
【００４０】
通信部２２は、本カメラ１０と外部機器、例えばパーソナルコンピュータ（ＰＣ）又はテレビジョン（ＴＶ）等との間で画像データ及び当該画像データに付随する情報等のデータ通信を行う。通信部２２は、無線であれば、例えば赤外線を用いた通信、無線によるローカルエリアネットワーク（ＬＡＮ）等である。通信部２２は、有線であれば、例えばＵＳＢ等を用いる。
【００４１】
カメラ１０は、撮影モードにおいて、撮影を行わなくても、電源がオンされていれば、逐次撮像部１２から画像データを取得し、当該画像データを表示部２０に表示する。ユーザは、表示部２０に表示された画像を観察し、フレーミングやシャッタチャンスを確認できる。表示制御部１１ａは、単に表示部２０の表示画面の全面に画像を表示するだけでない。表示制御部１１ａは、例えば撮影モードにおいて、画像データを装飾する背景画像データを作成し、画像データと背景画像データとを合わせて表示部２０に表示可能である。
【００４２】
次に、カメラ１０の再生モードによる表示について図２を参照して説明する。
【００４３】
図２Ａ〜図２Ｆは例えばユーザが旅行に行ったときにカメラ１０の撮影により取得された画像データの一例を示す。旅行に行った時の写真の画像データは、図２Ａ〜図２Ｆに示すように６枚ある。各画像データは、大きく分けて、人物が主被写体である人物写真の各画像データ２５ｃ、２５ｄ、２５ｆと、人物が主被写体ではない風景写真の各画像データ２５ａ、２５ｂ、２５ｅとに分類できる。人物写真は、一人の人物が写った写真と、複数の人物と写った写真とがある。
【００４４】
カメラ１０は、画像データを分類する機能を有する。各画像データの分類は、例えば「人物」、「風景」等による分類と、「旅行」、「パーティ」等の各イベントによる分類とがある。「人物」、「風景」等への分類は、各画像データ毎に行われる。「人物」、「風景」毎にそれぞれ複数枚ずつ各画像データが分類され、それぞれ画像データ群を形成する。各イベントによる分類は、「人物」、「風景」毎の各画像データ群をいずれかのイベントに分類する。
【００４５】
カメラ１０は、分類された各画像データを記録する。カメラ１０は、どのイベントの画像データ群にどの人物の画像データが含まれているかを判定できる。表示部２０は、図３に示すように表示画面２０ａを有する。カメラ１０は、画像データを検索して表示画面２０ａに表示する機能（以下、アルバム表示と称する）を有する。すなわち、ユーザは、図２Ａ〜図２Ｆに示す旅行の各画像データ２５ａ〜２５ｆを見ている。このとき、例えば図２Ｆに示す特定の人物の画像データ２５ｆが拡大された画像データ２５ｆＬとして表示画面２０ａ内の第１の表示枠２０ｂ内に表示されたとする。カメラ１０は、特定の人物が写っている別の類似の画像データ群、例えば各画像データ２６、２７を検索し、各画像データ２６、２７を縮小した各画像データ２６ａｓ、２７ａｓを第２の表示枠２０ｃ内に表示する。第２の表示枠２０ｃは、第１の表示枠２０ｂの枠外である。
【００４６】
第１の表示枠２０ｂに拡大された画像データ２５ｆＬは、鑑賞されるべき画像である。第２の表示枠２０ｃに表示されている他の各画像データ２６ａｓ、２７ａｓは、画像データ２５ｆＬを邪魔しないように表示する工夫を必要とする。各画像データ２６ａｓ、２７ａｓは、多くの面積を占めないように互いに重ね合せて表示する。各画像データ２６ａｓ、２７ａｓに顔画像が存在すると、カメラ１０は、顔画像が隠れないように各画像データ２６ａｓ、２７ａｓを重ねて表示する。
【００４７】
かかるアルバム表示であれば、拡大された画像データ２５ｆＬは、類似の各画像データ２６ａｓ、２７ａｓにより装飾できる。これにより、雰囲気を盛り上げて、楽しく鑑賞することができる。自分の興味のある画像が第２の表示枠２０ｃにあることに気付いた場合、それを楽しみにして、画像データを切り替えたり、第２の表示枠２０ｃに表示されている各画像データを選択することができる。第２の表示枠２０ｃに表示されている画像を先に見るようにして、興味ある画像だけを見るような楽しみ方ができる。
【００４８】
こうした工夫は、子供の成長を記録したカメラであれば、非常に便利であり、子供が写っている過去のアルバムを自動で検索することが可能となる。カメラでなくても、表示部を有する記録装置であれば良い。子供の成長につれて昔の事は忘れがちになるが、このような工夫で昔のことを思い出すことができる。
【００４９】
次に、カメラ１０の再生画像の表示例について図４Ａ〜図４Ｅを参照して説明する。
【００５０】
カメラ１０は、図３に示すようなアルバム表示を以下のようにして行う。例えば、図４Ａに示すように各アルバム３１ａ、３１ｂ、３１ｃが背表紙を並べて表示画面２０ａ上に擬似的に表示される。背表紙の１つ、例えばアルバム３１ｅが選択されると、図４Ｂに示すようにアルバム３１ｅを開くような画像を表示する。アルバム３１ｅを順次開いていく画像は、遷移画像と称する。図４Ｃはアルバム３１ｅを開いたときの１ページの画像を示す。
【００５１】
ある人物の画像が拡大された画像データ２５ｆＬとして表示されると、当該人物と同じ人物の別のイベントで撮影された画像データが第１の表示枠２０ｂの枠外の第２の表示枠２０ｃに縮小されて表示される。これにより、さりげなく、表示画面２０ａ上を賑やかに楽しくしながら、アルバムの雰囲気を高めることができる。
【００５２】
第１の表示枠２０ｂの枠外の画像データ中で、興味のある画像データが現れたならば、図４Ｃに示すように例えばユーザの指３３等で該当する枠外の画像データをタッチする。タッチパネル２１は、タッチにより選択された部位のスイッチが作動し、タッチ部位の位置に応じた信号を出力する。制御部１１は、タッチパネル２１からの信号に基づいてタッチ部位に対応する画像データを検索し、図４Ｅに示すように画像データ２７ａを拡大した画像データ２７ａＬを表示画面２０ａ上に表示する。
【００５３】
画像データ２７ａの検索の間、表示制御部１１ａは、図４Ｄに示すように縮小されたアルバム３１ｃｓを開くような遷移画像を表示制御部１１ａによって表示画面２０ａ上に表示する。アルバム３１ｃｓにおいて太い枠で示されているのは、このページ相当の場所に、目的の画像があることを示す。
【００５４】
表示制御部１１ａは、図４Ｄに示すように検索された画像データ２７ａの撮影時期やそのときのイベント等を表す文字、例えば「′０３夏休み」３５を表示してもよい。これによって、昔の事が、より明瞭に思い出されたりする。このイベントの名称等は、ユーザがタッチパネル２１を使用して入力したり、選択したりできるようにしている。
【００５５】
次に、カメラ１０の動作について図５に示す制御動作フローチャートを参照して説明する。
【００５６】
制御部１１は、ステップＳ１において、操作判定部１６内の電源スイッチの状態を判定する。電源がオンされている場合、制御部１１は、ステップＳ２に移行し、撮影モード、再生モードを判定可能な状態となる。
【００５７】
制御部１１は、ステップＳ２において、カメラ１０が撮影モードであるか否かを判定する。撮影モードである場合、制御部１１は、ステップＳ３に移行し、撮像部１２からの画像信号によって、顔検出部１３により画像データ中に人物の顔があるか否かの検出を行う。制御部１１は、ステップＳ４において、特に顔部の画像データを適正に表示するように露出演算を行う。制御部１１は、ステップＳ５において、上記ステップＳ４で演算した画像データを表示部２０にスルー画として表示する。
【００５８】
以上の顔画像の検出によって、人物の顔の場所や数、大きさ、更には顔のパーツの変化に従って笑顔であるか否かを判定することが可能となる。
【００５９】
制御部１１は、ステップＳ６において、レリーズスイッチによるレリーズ操作の状態であるか否かを判定する。レリーズ操作が行われると、制御部１１は、ステップＳ７に移行して撮像部１３による露出動作、記録部１４への記録動作を行う。制御部１１は、ステップＳ８において、サブルーチン「画像分類」が実行される。サブルーチン「画像分類」の動作の説明は、後述する。制御部１１は、ステップＳ９において、図７Ａに示すような分類結果の記録を関連情報記録部１４ａに行う。その後、制御部１１は、上記ステップＳ１に移行する。
【００６０】
上記ステップＳ６において、レリーズ操作がされなかった場合、制御部１１は、上記ステップＳ１へ移行する。上記ステップＳ２において、撮影モードでない場合、制御部１１は、ステップＳ１０に移行する。制御部１１は、ステップＳ１０において、再生モードであるか否かを判定する。再生モードでない場合、制御部１１は、上記ステップＳ１に移行する。再生モードである場合、制御部１１は、ステップＳ１１に移行して、再生用のプログラムを作動する。
【００６１】
ステップＳ１１の再生モードにおいて、制御部１１は、最後に撮影された画像を表示する。制御部１１は、ステップＳ１２において、ユーザによって何らかの操作が行われたか否かを判定する。何も操作が行われない場合、制御部１１は、上記ステップＳ１へ移行する。何らかの操作が行われた場合、制御部１１は、ステップＳ１３に移行して、アルバム再生であるか否かを判定する。
【００６２】
ステップＳ１３にてアルバム再生が指定されると、制御部１１は、ステップＳ１４に移行し、サブルーチン「アルバム再生」を実行した後、上記ステップＳ１２に移行する。サブルーチン「アルバム再生」の詳細な動作は後述する。
【００６３】
一方、上記ステップＳ１３において、アルバム再生以外の操作が指定された場合、制御部１１は、ステップＳ１５に移行する。制御部１１は、ステップＳ１５において、サムネイル表示であるか否かを判定する。サムネイル表示は、縮小画像を並べて一覧表示する。この結果、サムネイル表示が指定された場合、制御部１１は、ステップＳ１６に移行し、表示部２０にサムネイル画像を表示する。
【００６４】
制御部１１は、ステップＳ１７において、上記ステップＳ１６によりサムネイル表示された各画像データ中から選択する画像があるか否かをタッチパネル２１に対する操作により判定する。選択された画像データがあれば、制御部１１は、ステップＳ１８に移行し、当該選択された画像データを拡大して表示部２０に表示する。その後、制御部１１は、上記ステップＳ１２に移行する。一方、サムネイル表示の状態で選択された画像が無ければ、制御部１１は、上記ステップＳ１１に移行する。
【００６５】
上記ステップＳ１５の判断の結果、サムネイル表示でない場合、制御部１１は、ステップＳ１９に移行し、単純に画像送りを行う。この場合、最後に撮影された画像データが再生表示されているので、制御部１１は、１コマ前の画像データを表示部２０に表示する。その後、制御部１１は、上記ステップＳ１２に移行する。
【００６６】
次に、サブルーチン「画像分類」の詳細な動作について図６に示す画像分類フローチャートを参照して説明する。
【００６７】
画像検索を行う場合、迅速に対象となる画像を探し出す必要がある。本実施の形態では、画像分類部１１ｅにより画像分類を行う。画像分類は、主に撮影時に得られた画像データの情報を図７Ａに示すような各画像データと表形式で関連付け、この結果を記録部１４内の関連情報記録部１４ａに記録する。
【００６８】
画像データの情報の検索は、時計部１８の計時による時刻情報やＧＰＳ部１７による撮影場所の情報に限らず、図６に示す画像分類フローチャートに従ってカテゴリ分けすることにより効率化を図ることができる。つまり、ピント合わせの信号、被写体の距離、画像データの色情報、又は顔検出部１３による顔検出の結果を利用して画像データ中に顔画像が有るか否か、顔画像の大きさや数の判定が行われる。又、顔画像の特徴等の情報に従ってスナップ、ポートレート、花、小物、ペット、風景等の各カテゴリが判定される。スナップは、人物が全身で背景も多く含む画像データである。ポートレートは、顔の表情などを中心とした画像データである。
【００６９】
カテゴリの判定は、画像データから被写体を分析してもよいが、図６に示す画像分類フローチャートの各ステップＳ２４、Ｓ２５、Ｓ３１〜Ｓ３４のように、よく撮影されるシーンを想定して、大雑把に分類してもよい。
【００７０】
制御部１１は、ステップＳ２１において、画像データ中の被写体に顔画像が存在するか否かを判定する。この結果、各画像データは、人物の写真か否かに大別される。顔が有る場合、制御部１１は、ステップＳ２２に移行し、顔の色ではなく、背景の色の特色を判定し、この判定結果を関連情報記録部１４ａに記録する。
【００７１】
顔位置・大きさ判定部１１ｃは、ステップＳ２３において、顔の大きさが大きいか否かを判定する。顔の大きさが所定の値、例えば予め設定された顔の大きさＤ１よりも小さい場合、顔位置・大きさ判定部１１ｃは、ステップＳ２４に移行してスナップ写真であると判定する。一方、上記所定の値よりも大きい場合、顔位置・大きさ判定部１１ｃは、ステップＳ２５に移行してポートレート写真であると判定する。
【００７２】
制御部１１は、ステップＳ２６において、顔の数、位置、大きさ、特徴等を関連情報記録部１４ａに記録する。その後、制御部１１は、本サブルーチンを抜けて、図５に示すステップＳ９に移行する。
【００７３】
一方、上記ステップＳ２１にて、撮影した画像に顔が無い、つまり人物が居ないと判定された場合、制御部１１は、ステップＳ２７に移行し、表示画面２０ａの中央部等、表示画面２０ａの主要な色を判定する。制御部１１は、ステップＳ２８〜Ｓ３０において、画像データの分類を行う。制御部１１は、ステップＳ２８において、被写体との距離を判定する。この結果、距離が近い場合、制御部１１は、ステップＳ２９において、至近距離であるか否かを判定する。至近距離である場合、制御部１１は、ステップＳ３０において色の彩度を判定する。
【００７４】
制御部１１は、上記ステップＳ２８において、主にピント合わせ時の距離情報から被写体までの距離を判定する。遠距離であると判定された場合、制御部１１は、ステップＳ３４に移行して風景画像であると分類する。制御部１１は、ステップＳ２８及びＳ２９において、遠距離ではないが至近距離ではない場合、ステップＳ３３に移行してペットなどの画像データであると分類する。制御部１１は、ステップＳ３０において、色の彩度が高い場合、ステップＳ３１に移行して花などの画像データであると分類する。制御部１１は、ステップＳ３０において、色の彩度が低い場合、ステップＳ３２に移行して小物であると分類する。
【００７５】
制御部１１は、ステップＳ３５において、文字入力の有無を判定する。文字の入力が有る場合、制御部１１は、ステップＳ３６に移行し、無い場合、図５に示すステップＳ９に移行する。ステップＳ３６では、ユーザによってタッチパネル２１等に対する操作により文字が入力される。制御部１１は、ステップＳ３７において、入力された文字情報を図７Ａに示すように分類表の文字コメント覧に記録し、画像データに関連付ける。これによって、図４Ｄに示すように「′０３夏休み」３５等の文字の表示が可能になる。この後、制御部１１は、本サブルーチンを抜けて図５に示すステップＳ９に移行する。図７Ａに示す画像データと関連情報との関係は、関連情報記録部１４ａに記録される。
【００７６】
図７Ａは各画像データの分類結果を示す。当該分類結果において、各画像データ「１」〜「５」は、それぞれ画像データの種類、顔の数、顔の位置と特徴・大きさ、主要色、日時・場所の各項目について分類される。
【００７７】
画像データの種類は、スナップ写真であるか風景写真であるかといった写真の種類である。
【００７８】
顔の数は、画像データ中における顔の総数である。
【００７９】
顔の位置と特徴・大きさは、次の通りである。顔の位置は、例えば、図７Ｂに示すように表示画面２０ａを９分割した場合、各エリアＡ１〜Ａ９のうちどのエリアに存在しているかを示す。例えば、画像データ「１」は、各エリアＡ４、Ａ６の顔が存在していることを示す。顔の位置は、顔位置・大きさ判定部１１ｃにより判定される。
【００８０】
顔の特徴は、予め関連情報記録部１４ａに登録されている所定の顔のパターンの何れに該当しているかを示す。この場合、Ｐ−Ａは、登録されている顔のパターンＡである。Ｐ−Ｂは、登録されている顔のパターンＢである。Ｐ−Ｘは、判定不能である。Ｐ−Ｘは、登録されているパターン以外の顔のパターンであることを示す。所定の顔のパターンは、例えば家族の画像データを予め登録し、登録された画像データと比較して分類する。顔の特徴は、特徴抽出部１１ｂにより抽出され、比較される。
【００８１】
顔の大きさは、図７Ｂの右側に示すように各エリアＡ１〜Ａ９に対する顔の大きさを三段階Ｄ１、Ｄ２、Ｄ３により示す。例えば、画像データ「１」は、エリアＡ４に段階Ｄ２の大きさの顔と、エリアＡ６に段階Ｄ３の大きさの顔とがあることを示す。顔の大きさは、顔位置・大きさ判定部１１ｃにより判定される。
【００８２】
主要色は、画像データの背景色における主要色を示す。主要色は、制御部１１により判定される。
【００８３】
日時・場所は、撮影した日付や時間、場所を示す。本実施形態においては、日付のみを示すが、撮影した時間や場所が関連情報記憶部１４ａに記録されている場合、関連情報記憶部１４ａに記録されている時間や場所を示す。
【００８４】
文字コメントは、文字の有無を示す。文字コメントは、例えば、図４Ａに示すようなアルバムの背表紙や遷移画像の表示の際のコメントの候補となる。
【００８５】
図７Ａに示す各画像データの分類結果によれば、画像データ「１」は、９月１５日に撮影したスナップ写真で、エリアＡ４にパターンＡで段階Ｄ２の大きさの顔が１つ、エリアＡ６にパターンＸでＤ３の大きさの顔が１つが存在し、かつ主要色が青色で、文字コメントが無いということがわかる。
【００８６】
このような画像関連情報を持つと、画像データの検索を迅速、かつ効率的に行うことができる。
【００８７】
図７Ａに示す単純な分類結果だけでも、顔画像を探す場合、制御部１１は、ステップＳ３１〜Ｓ３４において分類された画像データを対象から外せるので、検索の効率化を図れる。
【００８８】
次に、サブルーチン「アルバム再生」の動作について図８に示すアルバム再生フローチャートを参照して説明する。
【００８９】
制御部１１は、ステップＳ４１において、サブルーチン「イベント判定」を実行する。制御部１１は、イベント判定として時計部１８による時計機能を利用し、所定期間中に撮影された画像データを集めてアルバムとして取り扱う。
【００９０】
制御部１１は、ステップＳ４２にて、図４Ａに示すように表示画面２０ａに擬似的な本棚をアルバム背表紙として表示する。制御部１１は、ステップＳ４３において、アルバムの選択操作が行われたか否かを判定する。
【００９１】
アルバムの選択操作が行われない場合、制御部１１は、ステップＳ５９に移行し、本サブルーチンを終了するか否かを判定する。この結果、終了しない場合、制御部１１は、上記ステップＳ４３へ移行する。終了する場合、制御部１１は、本サブルーチンを抜けて図５に示すステップＳ１２に移行する。
【００９２】
図４Ａに示す各アルバム３１ａ〜３１ｅのうち何れかが操作判定部１６によって選択された場合、制御部１１は、ステップＳ４４に移行し、上記ステップＳ４３で選択されたアルバムの中で撮影時期が一番古い複数の画像データ群を選択して表示画面２０ａに表示する。制御部１１は、図４Ｂに示すようにアルバムを開いて各ページ毎に画像データを見るような表示を可能とする。図４Ｂは、同図Ａに示す各アルバム３１ａ〜３１ｅのうち何れかが開かれてページを表示している状態を示す。図４Ｂは太線部のページが選択されて表示される部分として示す。
【００９３】
制御部１１は、ステップＳ４５において、画像データが顔画像であるか否かを判定する。判定の結果、顔画像でない場合、制御部１１は、ステップＳ５０に移行する。顔画像である場合、制御部１１は、ステップＳ４６に移行し、図７Ａに示す顔特徴を利用して同じ顔特徴を有する画像データを別のイベントから検索する（第１の検索）。この場合、制御部１１は、ステップＳ４６において、別イベントの画像データが多数存在するので、優先度の高い画像データを選んで表示する。
【００９４】
例えば、鑑賞時、再生モードに入れてから、一度でも表示した画像データがあれば、当該表示済みの画像データに例えばマークを付け、マークの付いた画像データの優先度を下げる。優先度を下げるのは、同じような画像データばかりを第１の表示枠２０ｂに表示すると飽きがくること、第１の表示枠２０ｂの枠外を利用して偶然、昔の写真を見つける楽しみが失われること、という問題の対策としている。
【００９５】
具体的に、制御部１１は、ステップＳ４７において、表示を行っていない画像データがあるか否かを判定する。表示が行われていない画像データがない場合、制御部１１は、ステップＳ４９に移行する。表示が行われていない画像データがある場合、制御部１１は、ステップＳ４８に移行し、表示が行われていない画像データを優先して表示できるように検索する。
【００９６】
表示が行われていない画像データが多数ある可能性がある。制御部１１は、ステップＳ４７において、上記ステップＳ４６と同様に、同じ顔特徴を有する画像データを別のイベントから検索する（第２の検索）。この場合、制御部１１は、ステップＳ４７において、別イベントの画像データが多数存在するので、優先度の高い画像データを選んで表示する。
【００９７】
検索する画像データは、図３に示すように２、３枚程度でよいが、もっと多くてもよい。ここでは、説明を簡略化するために、１枚表示されるようなフローチャートとしている。
【００９８】
制御部１１は、ステップＳ４８において、検索された画像データを縮小した画像データとして第１の表示枠２０ｂの枠外の第２の表示枠２０ｃに表示可能とするように準備する。
【００９９】
制御部１１は、ステップＳ４９において、図４Ｂに示すように例えばアルバム３１ｅを順次開いていく遷移画像を表示部２０に表示し、アルバム３１ｅ中からページを選択することにより図３に示すようなアルバム表示を行う。
【０１００】
制御部１１は、ステップＳ５０において、操作が終了であるか否かを判定する。操作終了の場合、制御部１１は、本サブルーチンを抜けて図５に示すステップＳ１２に移行する。操作があった場合、制御部１１は、ステップＳ５２において、図４Ｃに示すような第２の表示枠２０ｃに表示される縮小された画像データに対してタッチがあるか否かを判定する。
【０１０１】
縮小された画像データに対してタッチがなければ、制御部１１は、ステップＳ５３に移行し、アルバムの台紙をめくる動作が行われるか否かを判定する。この動作は、例えば、タッチパネル２１がユーザの指３３で擦られると、タッチパネル２１及び制御部１１により検出される。又は、操作判定部１６は、先に送るスイッチが操作される等によりアルバムの台紙をめくる動作が行われるか否かを判定する。台紙をめくる動作がなければ、制御部１１は、上記ステップＳ５０に移行する。めくる動作が行われた場合、制御部１１は、ステップＳ５３に移行する。
【０１０２】
制御部１１は、ステップＳ５３において、次の画像データがあるか否かを判定する。判定の結果、次の画像データがない場合、制御部１１は、ステップＳ５４に移行し、警告を行う。警告は、例えば表示画面２０ａ上にその旨の告知を表示する。
【０１０３】
次の画像データがある場合、制御部１１は、ステップＳ５６に移行し、撮影された順でコマ送りを行う。台紙のめくり動作は先に進むのみならず、以前に見た画像データを見直せるようにしてもよい。この場合、操作判定部１６内の戻しスイッチの操作検出や、タッチパネル２１の擦る方向によって台紙のめくりの進む方向を判定するようにすればよい。台紙のめくり動作の場合も、制御部１１は、ステップＳ４５に移行して遷移画像の効果を出すようにする。
【０１０４】
制御部１１が上記ステップＳ５１において、第２の表示枠２０ｃに表示される縮小された画像データに対してタッチされたことを判定すると、表示制御部１１ａは、画像データに対するタッチを検出し、ステップＳ５６に移行し、縮小された画像データの関連情報を表示部２０に表示する。制御部１１は、ステップＳ５７において、タッチ画面が選択される。その後、制御部１１は、上記ステップＳ４５に移行し、遷移効果を出すようにする。顔画像の場合、その人の生い立ちを示すような各画像データを第２の表示枠２０ｃに表示する。
【０１０５】
以上の制御であれば、古くから親しまれてきた紙のアルバムと同様の操作感で各画像データの鑑賞を楽しむことが可能である。デジタル画像データのメリットとして、個々の画像データを装飾する縮小された画像データを第２の表示枠２０ｃに表示でき、かつ縮小された画像データを選択可能である。これにより、興味のある画像データのみを見ていくような鑑賞が可能である。
【０１０６】
ここでは、カメラ１０の表示部２０に応用しているが、テレビジョン等の他の表示機器に応用が可能である。
【０１０７】
次に、イベント判定の動作について説明する。
【０１０８】
カメラ１０は、撮影日時や顔の検出結果を記録することができる。同カメラ１０により撮影した画像データは、撮影した画像データの数と撮影日時との関係を図９に示すようにグラフ表示できる。グラフ表示は、一日を例えば６分割し、それぞれ分割した各時間帯別に画像の数を累積する。顔検出の結果、顔が検出された画像は、斜線で示す。個々の画像がどのようなイベントで撮影されたかの類推は、各時間帯別の画像数を判定する、又は各画像データに含まれる人物の数によって行う。
【０１０９】
複数の画像データが時間的に纏まって存在（画像群）する場合、何かイベントがあったということが判定できる。例えば、「９／２１（９月２１日）」は運動会である。「９／２５（９月２５日）」はパーティ等である。「９月２５日」に撮影された各画像データが再生される場合、前日（９月２４日）の各画像データと分類されて表示される。
【０１１０】
画像群の中に１つでもコメントを入力した画像データがあれば、同じ画像群にある画像データでコメントのないものは、同じコメントを適用する。
【０１１１】
次に、サブルーチン「イベント判定」の詳細な処理動作について図１０に示すイベント判定フローチャートを参照して説明する。
【０１１２】
本サブルーチンに入ると、制御部１１は、ステップＳ６１において、図９のグラフに示すように一日を６分割する画像整理を行う。制御部１１は、ステップＳ６２において、個々の画像データがどのグループに所属するかの判定処理を行う。制御部１１は、ステップＳ６３において、所定時間に集中して撮影されたか否かを判定する。図９のグラフに示す「９月２１日」や「９月２５日」のように、所定時間に集中して撮影された場合、制御部１１は、ステップＳ６４に移行し、そうでない場合はステップＳ６５に移行する。
【０１１３】
制御部１１は、ステップＳ６４において、撮影された画像データに顔のアップが多いか少ないかを判定する。判定の結果、顔のアップの画像が少ない（風景画像が多い）場合、制御部１１は、ステップＳ６６に移行して「学校行事」としてまとめる。顔のアップが多い場合、制御部１１は、ステップＳ６７に移行して「パーティ」としてまとめる。
【０１１４】
制御部１１は、上記ステップＳ６５において、連続した日時に複数の画像が撮影されたか否かを判定する。判定の結果、連続した日時に複数の画像が撮影された場合、制御部１１は、「旅行」としてまとめる。これは、旅行などでは、一日のうちで画像が分散されることに基づいている。連続した日時に複数の画像が撮影されていない場合、制御部１１は、ステップＳ６９に移行し、まとまった画像数にて、日時別のアルバムとして作成される。つまり、制御部１１は、各ステップＳ６６、Ｓ６７、Ｓ６８以外のイベントを、ステップＳ６９において、例えば１０枚以上の画像群となるように月毎又は季節毎にまとめる。
【０１１５】
撮影された複数の画像データの集中する度合や顔画像の有無に応じてイベントの種類が分類される。各画像データが何れかのアルバムにまとめられると、制御部１１は、ステップＳ７０において、イベント判定が終了であるか否かを判定する。判定の結果、終了しない場合、制御部１１は、上記ステップＳ６２に移行して、上述した処理動作を繰り返す。終了する場合、制御部１１は、本サブルーチンを抜けて図８に示すステップＳ４２に移行する。
【０１１６】
図１２はある人物の映った画像データを日時と同じ日に撮影された画像数をグラフ化した図を示す。同グラフに示すような日時に対する画像数の分布となる画像データ群がカメラ１０内に記録されている。カメラ１０により鑑賞中の画像データ、例えば撮影日時Ｄｎの画像データに人物が映っている。同人物が映っている過去の画像データを壁紙上に表示して、被写体の成長記録を鑑賞できるようにする場合、どの日時の画像データを優先して表示するかは重要である。
【０１１７】
図１２のグラフに示すように優先して表示する画像データの候補は多数ある。「成長記録」という観点からは、過去に遡って画像データを検索することにする。複数の画像データを表示する場合、なるべく色々な事を想起できるように別のイベントの画像データを表示した方がよい。
【０１１８】
この結果、人物の画像（顔画像）を鑑賞しているときに、この鑑賞時に表示された顔画像データから同じ人物の顔画像が含まれる別のイベントの画像データを検索する。
【０１１９】
制御部１１は、図１１に示す別のイベントの同じ顔の第１の検索のフローチャートを実行する。
【０１２０】
制御部１１は、ステップＳ８１において、同じ人物が写っている一番古いイベントを判定する。制御部１１は、ステップＳ８２において、図１３に示す一番古いイベントの日時Ｄｏを判定する。日時Ｄｏの画像データが今回の画像鑑賞で未表示であれば、制御部１１は、ステップＳ８３からステップＳ８５に移行し、日時Ｄｏのイベントに含まれる画像データの第１の優先度Ｐ１を例えば「５」と大きく設定する。第１の優先度Ｐ１は、イベントの日時から判定した画像データの優先度である。
【０１２１】
対象となるイベントに必ずしも最適な画像データが含まれているとは限らないので、制御部１１は、ステップＳ８６において、日時Ｄｏの後の日時のイベントの第２の優先度Ｐ２を「２」として高めにしておく。第２の優先度Ｐ２は、被写体の構図に含まれる人物から判定した画像データの優先度である。これによって、鑑賞している画像データに写っている人物が主役になっている他の画像データが検索し易くなる。第２の優先度Ｐ２は、人物の顔画像に従った優先度と呼ぶことも出来る。ここでは、顔の大きさや位置に基づく判定を行っているが、姿勢や表情を考慮してもよい。
【０１２２】
制御部１１は、ステップＳ１０２において、顔位置が表示画面２０ａの中央部でかつ所定の大きさである条件を満たせば、この条件を満たす画像データの第２の優先度Ｐ２を「３」として高める。
【０１２３】
制御部１１は、ステップＳ１０４において、第１の優先度Ｐ１と第２の優先度Ｐ２とを乗じた値に従って表示する画像データを決定する。つまりイベントが重要で、被写体が重要な画像データが選ばれる。
【０１２４】
各ステップＳ１０１、１０３は、条件に該当しないイベントや画像データの優先度を低くする。ここで使われた優先度の高いイベントの日時は、一度表示されると各ステップＳ８３、Ｓ８４で、優先度を下げる。
【０１２５】
制御部１１は、図１２に示す別のイベントの同じ顔の第２の検索のフローチャートを実行する。
【０１２６】
制御部１１は、ステップＳ９１において、同じ人物が写っている一番古いイベントを判定する。制御部１１は、ステップＳ９２において、図１３に示す一番古いイベントの日時Ｄｏを判定する。制御部１１は、ステップＳ９３において、表示部２０に表示中の画像データが写されたイベントの日時Ｄｎを判定する。
【０１２７】
日時Ｄｏの画像データは、日時Ｄｎの時点の画像データからも現時点からも時間的に離れた画像である。ユーザは、日時Ｄｏの画像データが表示部２０に表示されると、新鮮さを感じることが出来る。１つのイベントの画像データだけでは寂しいので、ここでは２枚の画像データを表示する例を示すが、日時Ｄｏからも日時Ｄｎからも離れた時点の画像データを選ぶと、画像の内容に変化があって、やはり新鮮さを感じやすい。
【０１２８】
制御部１１は、ステップＳ９４において、日時Ｄｏと日時Ｄｎとの中間の日時に近い日時Ｄｍのイベントを選択する。日時Ｄｍの画像データが今回の画像鑑賞で未表示であれば、制御部１１は、ステップＳ９５からステップＳ９７に移行し、日時Ｄｍのイベントに含まれる画像データの優先度Ｐ１を「５」と大きくする。上記同様に、対象となるイベントに必ずしも最適な画像データが含まれているとは限らないので、制御部１１は、ステップＳ９８において、日時Ｄｍの後の日時のイベントの第２の優先度Ｐ２も「２」として高めにしておく。これによって、鑑賞している画像データに出ている人物が主役になっている画像データが選ばれやすくなる。
【０１２９】
制御部１１は、ステップＳ１０２において、顔位置が表示画面２０ａの中央部でかつ所定の大きさの条件を満たせば、この条件を満たす画像データの第２の優先度Ｐ２を「３」として高める。制御部１１は、ステップＳ１０４において、第１の優先度Ｐ１と第２の優先度Ｐ２とを乗じた値に従って表示する画像データを決定する。この結果、イベントが重要で、しかも被写体が重要な画像データが選ばれる。各ステップＳ１０１、１０３は、条件に該当しないイベントや画像データの優先度を低くする。優先度の高いイベントの日時は、一度表示されると、制御部１１は、各ステップＳ９５、９６において、優先度を下げる。
【０１３０】
このように重要なイベントで、かつ顔の大きさの位置が所定の条件を満たす画像データが優先表示できる。笑顔を検出できるようにし、表情の良いものを優先的に選ぶようにしてもよい。顔の大きさの優先度を変えたり、他の人、例えば両親と映っている画像データを優先させるような応用も可能である。
【０１３１】
２つの画像を表示したが、同様の考え方によって、それ以上の画像を表示させてもよい。
【０１３２】
制御部１１は、撮影日時Ｄｎよりも過去の日時Ｄｏのイベントを判定しているが、撮影日時Ｄｎよりも時間経過した未来の日時のイベントを判定してもよい。
【０１３３】
このように本実施形態によれば、個々の画像データのみならず、画像データ郡も自動的に分類できる。自動分類でなくとも、ユーザがフォルダを作成し、当該フォルダに個々の画像データを保存するような方法でも、画像データ群や、個々の画像データの分類管理が可能なことは言うまでもない。
【０１３４】
以上のように、本実施形態によれば、写真鑑賞時に、壁紙を自動作成するので、楽しく、賑やかなアルバム鑑賞が可能となる。
【０１３５】
尚、上述した実施形態ではカメラを例として説明したが、本発明は、カメラ以外の単なる表示装置や携帯電話等にも適用が可能であるのは勿論である。
【０１３６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【０１３７】
本発明によれば、簡単な操作で、オリジナリティのある楽しく賑やかなアルバムを作ることができ、興味ある画像に類似の画像のみを見ていくことができると共に、装飾表示された画像を利用して画像検索のできるカメラ及び表示装置並びに電子機器を得ることができる。
【符号の説明】
【０１３８】
１０：カメラ、１１：制御部、１１ａ：表示制御部、１１ｂ：特徴抽出部、１１ｃ：顔位置・大きさ判定部、１１ｄ：画像検索部、１１ｅ：画像分類部、１２：撮像部、１３：顔検出部、１４：記録部、１４ａ：関連情報記録部、１６：操作判定部、１７：ＧＰＳ部、１８：時計部、２０：表示部、２０ａ：表示画面、２１：タッチパネル、２２：通信部、２５ａ，２５ｂ，２５ｃ，２５ｄ，２５ｅ，２５ｆ：画像、３１ａ，３１ｂ，３１ｃ，３１ｄ，３１ｅ：アルバム。
【図１】
2010259064.tif 000003
【図２Ａ】
2010259064.tif 000004
【図２Ｂ】
2010259064.tif 000005
【図２Ｃ】
2010259064.tif 000006
【図２Ｄ】
2010259064.tif 000007
【図２Ｅ】
2010259064.tif 000008
【図２Ｆ】
2010259064.tif 000009
【図３】
2010259064.tif 000010
【図４Ａ】
2010259064.tif 000011
【図４Ｂ】
2010259064.tif 000012
【図４Ｃ】
2010259064.tif 000013
【図４Ｄ】
2010259064.tif 000014
【図４Ｅ】
2010259064.tif 000015
【図５】
2010259064.tif 000016
【図６】
2010259064.tif 000017
【図７Ａ】
2010259064.tif 000018
【図７Ｂ】
2010259064.tif 000019
【図８】
2010259064.tif 000020
【図９】
2010259064.tif 000021
【図１０】
2010259064.tif 000022
【図１１】
2010259064.tif 000023
【図１２】
2010259064.tif 000024
【図１３】
2010259064.tif 000025